【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】
画像データをブロックごとに画像処理する画像処理手段と、
前記画像データの各ブロックに対して画像処理を実行するか否かの実行情報を入力する実行情報入力手段と、
前記ブロックごとに、前記実行情報を利用して前記画像データを画像処理するか否かを判定する判定手段とを備え、
前記画像処理手段が、画像処理を実行すると判定されたブロックの画像データについて画像処理を行うことを特徴とする画像処理装置。
【請求項２】
前記画像データに対して画像処理を実行する範囲を指定する指定手段をさらに備えることを特徴とする請求項１記載の画像処理装置。
【請求項３】
前記画像データを解像度変換する解像度変換手段をさらに備えることを特徴とする請求項１又は２に記載の画像処理装置。
【請求項４】
前記画像データを構成するブロックの位置を並び替える並び替え手段をさらに備えることを特徴とする請求項１から３までのいずれか１項に記載の画像処理装置。
【請求項５】
画像データをブロックごとに画像処理する画像処理方法であって、
前記画像データの各ブロックに対して画像処理を実行するか否かの実行情報を入力させる実行情報入力工程と、
前記ブロックごとに、前記実行情報を利用して前記画像データを画像処理するか否かを判定する判定工程と、
画像処理を実行すると判定されたブロックの画像データについて画像処理を行う画像処理工程と
を有することを特徴とする画像処理方法。
【請求項６】
画像データをブロックごとに画像処理する画像処理装置を制御するためのコンピュータプログラムであって、
前記画像データの各ブロックに対して画像処理を実行するか否かの実行情報を入力させる実行情報入力手順と、
前記ブロックごとに、前記実行情報を利用して前記画像データを画像処理するか否かを判定する判定手順と、
画像処理を実行すると判定されたブロックの画像データについて画像処理を行う画像処理手順と
を実行するためのコンピュータプログラム。
【請求項７】
請求項６に記載のコンピュータプログラムを格納したことを特徴とする記録媒体。
【請求項８】
ブロック単位に入力された画像データに対して、該ブロック単位に画像処理を実行するブロック画像処理手段と、
前記ブロック単位に処理された前記画像データをラスタ状に変換する変換手段と、
ラスタ状に変換された前記画像データを用いて、１画素単位の画像処理を実行する画素画像処理手段とを備え、
入力された画像データに施す画像処理を前記ブロック画像処理手段と前記画素画像処理手段の２段階にて行うことを特徴とする画像処理装置。
【請求項９】
前記ブロック画像処理手段が、入力された画像データから指定範囲の画像データを抽出することを特徴とする請求項８記載の画像処理装置。
【請求項１０】
前記ブロック画像処理手段が、前記画像データの解像度を変換することを特徴とする請求項８記載の画像処理装置。
【請求項１１】
前記変換手段が、前記ブロック単位にラスタ状に変換された前記画像データに対するそれぞれのブロック内の画素の並び替え処理と、
前記ブロック自身の並び替え処理との２段階で変換処理を行うことを特徴とする請求項８記載の画像処理装置。
【請求項１２】
前記変換手段が、前記ブロック及び前記画素を９０°単位の回転角で並び替えることを特徴とする請求項１１記載の画像処理装置。
【請求項１３】
前記指定範囲の前記画像データを始点座標と終点座標を定めることによって決定される矩形状の範囲として前記画像データから抽出する場合、矩形状の前記指定範囲の画像データをブロック単位で抽出する場合のそれぞれのブロックの始点座標及び終点座標は、前記画像データの前記始点座標及び前記終点座標を該ブロックのブロックサイズで除したときの小数点以下の数値を切り上げた数値に基づく座標であることを特徴とする請求項９記載の画像処理装置。
【請求項１４】
前記ブロック画像処理手段による前記指定範囲の画像データを抽出する抽出処理が、入力された画像データに関する有効信号の制御によって行われることを特徴とする請求項９記載の画像処理装置。
【請求項１５】
前記ブロックのサイズをＢｘ×Ｂｙとした場合、前記ブロック画像処理手段による前記ブロック単位の解像度変換後の横方向のサイズが１からＢｘまでのいずれかの整数、解像度変換後の縦方向のサイズが１からＢｙまでのいずれかの整数であることを特徴とする請求項１０記載の画像処理装置。
【請求項１６】
前記ブロック画像処理手段による前記ブロック単位の解像度変換処理が横方向と縦方向とで独立して行われることを特徴とする請求項１５記載の画像処理装置。
【請求項１７】
前記解像度変換処理における横方向の縮小率をＲｘ、縦方向の縮小率をＲｙとするとき、前記ブロック単位の解像度変換処理における画像データの出力サイズが、
ｎ／Ｂｘ≦Ｒｘ＜（ｎ＋１）／Ｂｘ、但しｎは１からＢｘまでの整数、
ｍ／Ｂｙ≦Ｒｙ＜（ｍ＋１）／Ｂｙ、但しｍは１からＢｙまでの整数、
を満たすｎ×ｍであることを特徴とする請求項１５記載の画像処理装置。
【請求項１８】
前記ブロック画像処理手段による前記横方向及び前記縦方向の解像度変換処理が、入力された前記画像データのブロック上の位置に応じて補間係数を切り替え、補間点以外のデータを無効データとすることを特徴とする請求項１６記載の画像処理装置。
【請求項１９】
前記ブロック画像処理手段が、前記横方向の解像度変換処理ではブロック右端の画素演算時を無効データとし、前記縦方向の解像度変換処理ではブロック下端の画素演算時を無効データとすることを特徴とする請求項１８記載の画像処理装置。
【請求項２０】
前記ブロック画像処理手段による前記横方向及び前記縦方向の解像度変換処理は、補間係数が設定可能な最大値の場合、該最大値となる係数が乗算される画素を補間出力とすることを特徴とする請求項１８又は１９に記載の画像処理装置。
【請求項２１】
前記ブロック画像処理手段による前記横方向及び前記縦方向の解像度変換処理は、補間係数が０の場合、０の係数が乗算される画素に対抗する画素であって０が乗算されない方の画素を補間出力とすることを特徴とする請求項１８又は１９に記載の画像処理装置。
【請求項２２】
前記変換手段による前記ブロック内の画素の並び替え処理が、原画素のアドレスをＡ（ｎ−１）、予め決められたシーケンスで選択されるアドレス差分値をＤ、次画素のアドレスをＡ（ｎ）とする場合、
Ａ（ｎ）＝Ａ（ｎ−１）＋Ｄ
で示されるバッファのアドレスに次画素データを格納することで行われることを特徴とする請求項１１又は１２に記載の画像処理装置。
【請求項２３】
前記バッファに格納されるブロックラインの最終ブロックのブロック終端画素と次画素とのアドレス差分値をＤｌ、前記ブロックのブロック終端画素と次画素とのアドレス差分値をＤｍ、前記ブロックのブロック右端画素と次画素とのアドレス差分値をＤｂとした時、前記アドレス差分値Ｄが、
ブロックライン上の最終ブロックのブロック終端画素の場合はＤ＝Ｄｌ、
Ｄ＝Ｄｌでなく、ブロックライン上の最終ブロックのブロック終端画素の場合はＤ＝Ｄｍ、
Ｄ＝Ｄｌ、Ｄ＝Ｄｍのいずれでもなく、ブロックライン上の最終ブロックのそれ以外でブロック右端画素の場合はＤ＝Ｄｂ、
その他の場合はＤ＝１
であることを特徴とする請求項２２記載の画像処理装置。
【請求項２４】
ブロック毎に符号化された符号化データから画像データを復号化するブロック復号化手段と、
復号化された前記画像データを前記符号化時の処理ブロック単位に画像処理するブロック画像処理手段と、
前記処理ブロック単位に画像処理された前記画像データをラスタ状に変換する変換手段と、
ラスタ状に変換された前記画像データを用いて１画素単位の画像処理を実行する画素画像処理手段とを備え、
入力された画像データに施す画像処理を前記ブロック画像処理手段と前記画素画像処理手段の２段階にて行うことを特徴とする画像処理装置。
【請求項２５】
ブロック単位に入力された画像データに対して、該ブロック単位に画像処理を実行するブロック画像処理工程と、
前記ブロック単位に処理された前記画像データをラスタ状に変換する変換工程と、
ラスタ状に変換された前記画像データを用いて、１画素単位の画像処理を実行する画素画像処理工程とを有し、
入力された画像データに施す画像処理を前記ブロック画像処理工程と前記画素画像処理工程との２段階にて行うことを特徴とする画像処理方法。
【請求項２６】
ブロック符号化された符号化データから画像データを復号化するブロック復号化工程と、
複合化された前記画像データを前記ブロック符号化時の処理ブロック単位に画像処理するブロック画像処理工程と、
前記処理ブロック単位に画像処理された前記画像データをラスタ状に変換する変換工程と、
ラスタ状に変換された前記画像データを用いて１画素単位の画像処理を実行する画素画像処理工程とを有し、
入力された画像データに対して施す画像処理を前記ブロック画像処理工程と前記画素画像処理工程の２段階にて行うことを特徴とする画像処理方法。
【請求項２７】
コンピュータにて、
ブロック単位に入力された画像データに対して、該ブロック単位に画像処理を実行するブロック画像処理手順と、
前記ブロック単位に処理された前記画像データをラスタ状に変換する変換手順と、
ラスタ状に変換された前記画像データを用いて、１画素単位の画像処理を実行する画素画像処理手順とを有し、
入力された画像データに施す画像処理を前記ブロック画像処理手順と前記画素画像処理手順の２段階で実行するためのコンピュータプログラム。
【請求項２８】
コンピュータにて、
ブロック符号化された符号化データから画像データを復号化するブロック復号化手順と、
復号化された前記画像データを前記ブロック符号化時の処理ブロック単位に画像処理を実行するブロック画像処理手順と、
前記処理ブロック単位に画像処理された前記画像データをラスタ状に変換する変換手順と、
ラスタ状に変換された前記画像データを用いて１画素単位の画像処理を実行する画素画像処理手順とを有し、
入力された画像データに施す画像処理を前記ブロック画像処理手順と前記画素画像処理手順の２段階で実行するためのコンピュータプログラム。
【請求項２９】
請求項２７又は２８に記載のコンピュータプログラムを格納したことを特徴とするコンピュータ読み取り可能な記録媒体。
【手続補正２】
【補正対象書類名】明細書
【補正対象項目名】０００５
【補正方法】変更
【補正の内容】
【０００５】
【課題を解決するための手段】
上記課題を解決するため、本発明に係る画像処理装置は、画像データをブロックごとに画像処理する画像処理手段と、前記画像データの各ブロックに対して画像処理を実行するか否かの実行情報を入力する実行情報入力手段と、前記ブロックごとに、前記実行情報を利用して前記画像データを画像処理するか否かを判定する判定手段とを備え、前記画像処理手段が、画像処理を実行すると判定されたブロックの画像データについて画像処理を行うことを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】